(57)【要約】【課題】操作性、利便性を考慮した新規な構成の遠隔操作用装置を提供する。【解決手段】情報端末を遠隔操作する遠隔操作用アクセサリ１００は、複数の面を認識できる多面体の筐体を有する。この筐体のどの面が鉛直方向の上方を向いているかを検出し、特定の情報端末２００に対して、現在の上面に割り当てられた機能による指示操作の通信を行う。また、現在の上面の如何に関わらず、情報端末２００から受信した電話やメールの着信情報を当該面に設けたＬＥＤ等により出力する。アクセサリ１００の姿勢が斜めの状態では持ち運びモードとして操作出力を抑止する。【選択図】図１
2010193144.tif 000002
【特許請求の範囲】
【請求項１】
情報端末を遠隔操作する遠隔操作用装置であって、
複数の面を認識できる多面体の筐体と、
この筐体のどの面が鉛直方向の上方を向いているかを検出する上面検出手段と、
特定の情報端末と無線通信を行う通信手段と、
この通信手段により前記特定の情報端末から受信した情報を出力する出力手段と、
前記複数の面に前記情報端末の複数の機能を割り当て、前記上面検出手段により検出された現在の上面に応じて、前記通信手段を介し、その面に割り当てられた機能による操作出力の通信を行う制御手段と
を備えた遠隔操作用装置。
【請求項２】
前記制御手段は、前記上面検出手段の出力に基づいて、予め定めた所定の時間以上連続して、前記複数の面のいずれかの一面が上面として維持されていないと判断された場合、持ち運びモードに移行し、この持ち運びモードでは前記複数の面に割り当てられたいずれの機能による操作出力も抑止する請求項１に記載の遠隔操作用装置。
【請求項３】
前記情報端末は電話機能およびメール機能の少なくとも一方を有し、前記出力手段は、前記操作出力の抑止中も前記情報端末の電話またはメールの着信情報を受信したとき、その着信情報を出力する請求項２に記載の遠隔操作用装置。
【請求項４】
前記持ち運びモードを解除する手段を備えた請求項１〜３のいずれかに記載の遠隔操作用装置。
【請求項５】
ユーザによる前記筐体の複数箇所へのタッチを検出するタッチ検出手段をさらに備え、前記制御手段は、前記持ち運びモードに移行した後、前記複数箇所へのタッチが検出されたとき、前記持ち運びモードを解除する請求項４に記載の遠隔操作用装置。
【請求項６】
前記出力手段は前記複数の面の少なくとも一つの面に設けられた、表示画面を有する表示デバイスを含む請求項１に記載の遠隔操作用装置。
【請求項７】
前記出力手段は前記複数の面に設けられた複数の発光素子を含む請求項１または６に記載の遠隔操作用装置。
【請求項８】
前記筐体は、大筐体部とこの大筐体部に設けられた凹部に嵌合する小筐体部とを有し、前記上面検出手段および前記制御手段は小筐体部に含まれ、前記通信手段および前記出力手段は大筐体部と小筐体部の各々に含まれ、
大筐体部と小筐体部との接続を検出する接続検出手段をさらに備え、
前記制御手段は前記接続検出手段による接続がなされていないとき、持ち運びモードに移行し、この持ち運びモードでは前記複数の面に割り当てられたいずれの機能による操作出力も抑止する請求項１に記載の遠隔操作用装置。
【請求項９】
前記出力手段として、前記大筐体部の一面に配置された表示画面を有する表示デバイスと、前記小筐体部の複数面に配置された複数の発光素子とを有する請求項８に記載の遠隔操作用装置。
【請求項１０】
前記情報端末からの音声信号を受信し、再生する音声信号受信再生手段を前記大筐体部に設けた請求項８に記載の遠隔操作用装置。
【発明の詳細な説明】
【技術分野】
【０００１】
本発明は、情報端末を遠隔操作するための遠隔操作用装置に関する。
【背景技術】
【０００２】
携帯電話端末のような情報端末を遠隔操作するツールとしては、従来、ヘッドセットや腕時計型のアクセサリが開発されてきた。例えばＢｌｕｅｔｏｏｔｈ（登録商標）のような近距離無線通信手段を利用することにより、無線により遠隔操作することができるようになっている。
【０００３】
また、多面体の所定の面に複数のスイッチを設け、多面体の姿勢・状態に基づいて所定のスイッチをオンし、これを所定の制御信号として放射する多面体型のリモコンユニットが提案されている（特許文献１参照）。これはカラオケシステム、オーディオシステム、ゲームなどにおいて、操作者が意図しないランダムな信号を決定し、送出するためのものである。
【０００４】
特許文献２にも、サイコロの出た目を受信機に無線で伝送するように構成された無線サイコロが提案されている。
【先行技術文献】
【特許文献】
【０００５】
【特許文献１】特開平９−８４１４５号公報
【特許文献２】特表２００８−５１７６４４号公報
【発明の概要】
【発明が解決しようとする課題】
【０００６】
従来のヘッドセットや腕時計型のアクセサリは、会話や音楽鑑賞などの用途に限られるものであった。
【０００７】
また、ヘッドセットは外出時に常時装着するのは煩わしく、カバンなどに収容した状態では機能を果たさないという問題があった。
【０００８】
さらに、腕時計型の場合、機能性や小型化を重視するため、操作性が乏しいという問題があった。
【０００９】
上記特許文献１，２に記載の従来技術では、停止→サイコロを振る→停止という一連の動作が必要であり、あくまで従来のサイコロを電子化したに止まるものである。
【００１０】
本発明はこのような背景においてなされたものであり、操作性、利便性を考慮した新規な構成の遠隔操作用装置を提供する。
【課題を解決するための手段】
【００１１】
本発明による遠隔操作用装置は、情報端末を遠隔操作する遠隔操作用装置であって、複数の面を認識できる多面体の筐体と、この筐体のどの面が鉛直方向の上方を向いているかを検出する上面検出手段と、特定の情報端末と無線通信を行う通信手段と、この通信手段により前記特定の情報端末から受信した情報を出力する出力手段と、前記複数の面に前記情報端末の複数の機能を割り当て、前記上面検出手段により検出された現在の上面に応じて、前記通信手段を介し、その面に割り当てられた機能による指示操作の通信を行う制御手段とを備えたものである。
【００１２】
ユーザが多面体の筐体を操作してその上面を変更すると、その上面の変更が上面検出手段により検出され、かつ、現在の上面がどの面であるかが認識される。筐体の複数の面に情報端末の複数の機能を割り当ておくことにより、ユーザは筐体の上面を変更することにより、その面に割り当てられた機能による指示操作の通信を行う。これにより、情報端末に対して遠隔的に機能の指示を行うことが可能となる。
【発明の効果】
【００１３】
本発明による情報端末用アクセサリは、カバンなどの外部に付属させて、ユーザの目に付く形で携帯することが可能であり、情報端末の遠隔操作手段としての操作性、利便性を向上させることができる。
【図面の簡単な説明】
【００１４】
【図１】本発明の実施の形態における遠隔操作用装置の概略の外観を、携帯電話端末とともに示した斜視図である。
【図２】遠隔操作用装置の具体的な構成例を示した図である。
【図３】本発明の実施の形態におけるアクセサリの６面への機能の割り当ての例を示した図である。
【図４】本発明の実施の形態におけるアクセサリにストラップを通した様子を示した図である。
【図５】本発明の実施の形態における小筐体部に設けられたタッチセンサを示す図である。
【図６】本発明の実施の形態における小筐体部のハードウェア構成を表したブロック図である。
【図７】本発明の実施の形態における大筐体部のハードウェア構成を表したブロック図である。
【図８】本発明の実施の形態における携帯電話端末のハードウェア構成を表したブロック図である。
【図９】本発明の実施の形態におけるアクセサリによる携帯電話端末の操作のための両者間の信号の授受およびそのためのそれぞれの概略内部処理を示したフローチャートである。
【図１０】本発明の実施の形態のアクセサリにおける追加的な処理を示したフローチャートである。
【図１１】図９の処理に対して一部の処理を追加したフローチャートである。
【図１２】本発明の実施の形態のアクセサリから携帯電話端末への操作指示の伝達の形態および操作信号の生成の形態について説明するための図である。
【図１３】本発明の実施の形態のアクセサリの上面を表すデータの具体例を示した図である。
【図１４】図１３に示した送信コードの送信信号波形と、その受信信号波形の例を示した図である。
【図１５】図１４に示した受信信号を受信した携帯電話端末がその受信信号を解読する処理例を示した図である。
【図１６】図１２（ｂ）（ｃ）に対応した、アクセサリから携帯電話端末への送信信号のより汎用的な信号形態を示した図である。
【図１７】図１６に示した受信信号を受信した携帯電話端末がその受信信号を解読する処理例を示した図である。
【図１８】本発明の実施の形態における小筐体部への機能の割り当ての変形例を示した図である。
【図１９】本発明の他の実施の形態における遠隔操作用装置の他の外観例を示した図である。
【発明を実施するための形態】
【００１５】
以下、本発明の好適な実施の形態について図面を参照しながら詳細に説明する。
【００１６】
図１は、本実施の形態における遠隔操作用装置としての遠隔操作用アクセサリ１００の概略の外観を、携帯電話端末２００とともに示した斜視図である。この例では立方体の形状をした筐体を示している。但し、本発明の遠隔操作用装置は必ずしもサイコロのような使用方法を想定するものではなく、鉛直方向の上面が把握できる形状であれば足りる。したがって、立方体でなく直方体であってもよいし、６面体である必要もない。各面１０ａ，１０ｂ，１０ｃに示したマーク（四角、三角、星形等）はその面に割り当てられた機能を便宜上、異なるマークで示したものである。実際には、その機能が分かるマークや文字を印す。図１に現れていない他の面についても、他の機能を割り当てることができる。
【００１７】
本実施の形態では、ユーザが所定の操作により、遠隔操作用アクセサリ１００のどの面を上面に向けたかによって、その上面に割り当てられた機能の指示操作情報を、近接した携帯電話端末２００に無線送信し、携帯電話端末２００の遠隔操作を行うものである。
【００１８】
また、ある面を上にした状態で、アクセサリのある動作（横や縦に振るなど）を行うことで、次の動作（例えば、音楽再生中に横に振ることによって次の曲に移るなど）を行う。さらに、距離センサなどの別のセンサを用いることで、音量の調節といったような、更なる機能を付加することができる。
【００１９】
図２に、本実施の形態における遠隔操作用アクセサリ１００の具体的な構成例を示す。以下、遠隔操作用アクセサリを単にアクセサリともいう。アクセサリ１００は、立方体形状の小筐体部１００ａとこの小筐体部１００ａが嵌合する空洞部を有する大筐体部１００ｂにより構成される。小筐体部１００ａと大筐体部１００ｂの結合体は一つの立方体形状となる。特定の情報端末と無線通信を行う通信手段は、大筐体部１００ｂと小筐体部１００ａの各々に含まれる。出力手段も大筐体部１００ｂと小筐体部１００ａの各々に含まれるが、後述するように、その種類は異なりうる。
【００２０】
小筐体部１００ａは持ち運びが容易な小サイズで、独立して遠隔操作用アクセサリとして機能する。大筐体部１００ｂは、室内等で利用するもので、小筐体部１００ａと一体となって遠隔操作用アクセサリとして機能する。本実施の形態では、小筐体部１００ａに「上面検出手段」が設けられている。また、小筐体部１００ａには、出力手段として、特定の面に発光素子としてのＬＥＤ１０６が設けられる。大筐体部１００ｂには、出力手段として、一面に表示デバイスとしてのＬＣＤ１１４が設けられ、また、他の面にスピーカ１１５が設けられる。表示デバイスはＬＣＤに限るものではなく有機ＥＬ等、利用可能な任意のデバイスを用いることができる。発光素子もＬＥＤに限るものではない。
【００２１】
本実施の形態では、小筐体部１００ａは大筐体部１００ｂに対して常に相対的に同じ向きで装着される。そのために、図示しないが一方に凸部、他方に凹部を設け、正規な装着時には両者が係合し、その向き以外では係合せずに装着を阻害するような構成とすることができる。凸部と凹部は互いに結合するコネクタで兼ねることもできる。コネクタは小筐体部１００ａと大筐体部１００ｂとが互いに結合していることを検出する接続検出手段である。本実施の形態では、小筐体部１００ａと大筐体部１００ｂとの間の通信は行わない。
【００２２】
図３に、アクセサリ１００の６面への機能の割り当ての例を示す。各面と機能の対応は次の通りである。
第１面１０ａ：音楽再生：小筐体部１００ａは第１面を上面とする操作により携帯電話端末２００に対して音楽再生の起動、曲の移動指示が行える。大筐体部１００ｂは携帯電話端末２００から受信した楽曲情報をスピーカ１１５から出力することができる。
第２面１０ｂ：電話：小筐体部１００ａは、現在の上面の如何に関わらず、電話の着信時に第２面１０ｂ上のＬＥＤ１０６ｂを発光（点灯または点滅等）させる。大筐体部１００ｂは第２面を上面とする操作により、携帯電話端末２００との間でマイク１１６，スピーカ１１５を介して、通話のための音声通信を行うことができる。小筐体部１００ａ単独においても、第２面を上面とする操作により、図示しないヘッドセットによる携帯電話端末２００での着信相手との会話を開始することができる。ヘッドセットは携帯電話端末２００と例えばＢｌｕｅｔｏｏｔｈ（登録商標）のような無線インタフェースで接続されうる。
第３面１０ｃ：メール（電子メール）：小筐体部１００ａは、現在の上面の如何に関わらず、メールの着信時に第３面１０ｃ上のＬＥＤ１０６ｃを発光（点灯または点滅等）させる。大筐体部１００ｂは携帯電話端末２００から少なくともメールのタイトルの情報を受信して、ＬＣＤ１１４に表示する。小筐体部１００ａ単独においても、第３面を上面とする操作により、所定の簡易メッセージを相手に送信するようにすることも可能である。
第４面１０ｄ：簡易データ表示（Ｗｅｂ）：大筐体部１００ｂは、その第４面を上面とする操作により、携帯電話端末２００が受信した簡易データを携帯電話端末２００から受信して、ＬＣＤ１１４に表示する。
第５面１０ｅ：初期画面：小筐体部１００ａはこの面を上面とする操作により、現在選択されている機能について、初期画面に戻す。小筐体部１００ａ単独においても、第５面を上面とする操作により、現在動作中の機能（例えば音楽再生）を停止させたり、会話を終了したりすることができる。
第６面１０ｆ：スケジュール：大筐体部１００ｂは、この面を上面とする操作により、携帯電話端末２００の内蔵するスケジュール（例えば本日の未経過のもの）を携帯電話端末２００から受信して、ＬＣＤ１１４に表示する。小筐体部１００ａ単独においても、第６面を上面とする操作により、その日のスケジュールを読み上げたり、小筐体部の所定の動作により次の日のスケジュールに移行したりすることが可能である。
【００２３】
本実施の形態ではこのようなアクセサリ１００の各面の機能は、小筐体部１００ａと大筐体部１００ｂとで同じである。（後に違う例も示す。）
【００２４】
この例では、第１面１０ａ，第２面１０ｂ，第３面１０ｃにそれぞれＬＥＤ１０６ａ，１０６ｂ，１０６ｃを設けている。第１のＬＥＤ１０６ａは音楽再生機能の起動時（起動受け付け時）に点灯または点滅するものである。第２面、第３面のＬＥＤ１０６ｂ，１０６ｃはそれぞれ電話とメールの内容未確認の着信を例えば周期的な点滅により出力するものである。
【００２５】
上記のように、小筐体部１００ａは、これを独立して携帯したときに必ずしもその６面全部の機能が利用可能となる必要はない。例えば、簡易情報の表示を要する機能については利用不可としてもよい。
【００２６】
第１面１０ａと第３面１０ｃと第５面１０ｅの共通の角の近傍に透孔１１が設けられている（図５参照）。図４に示すように、これらの透孔１１にはストラップ１２を通すことができる。このストラップ１２はカバンなどのユーザの携行品の外部にユーザから見える形で付属させることができる。
【００２７】
図５に示すように、小筐体部１００ａには１組の対向面にタッチセンサ１３が設けられている。（図５では便宜上、各面の絵柄を図示省略している。）どの対向面かは特に限定しない。また、複数組の対向面にタッチ検出手段としてのタッチセンサを設けてもよい。このような対向面に設けたタッチセンサ１３はユーザが片手の親指と人差し指や中指とで小筐体部１００ａをつまんだときに、両指が接触しうる位置に設けられる。タッチセンサ１３は、後述する持ち運びモードに移行した後、タッチセンサ１３へのタッチが検出されたとき、持ち運びモードを解除するための手段である。このような対向面への同時のタッチを持ち運びモードの解除の条件とすることにより、単一のタッチに比べて、誤動作の可能性を低減することができる。
【００２８】
図６に小筐体部１００ａのハードウェア構成を表したブロック図を示す。
【００２９】
小筐体部１００ａは、ＣＰＵ１０１、タッチセンサ１０２、加速度センサ１０３、バッテリ１０４、近距離無線通信部１０５、ＬＥＤ１０６、コネクタ１０７を備えている。
【００３０】
ＣＰＵ１０１は、小筐体部１００ａの各部を制御するとともに必要なデータ処理等を行う制御部である。この例ではＣＰＵ１０１内にＲＯＭやＲＡＭを含んだものとする。タッチセンサ１０２は、図５で説明したユーザによるタッチを検出する手段である。加速度センサ１０３は、小筐体部１００ａの姿勢や動きを検出する手段であり、本発明の上面検出手段を構成する。バッテリ１０４は、小筐体部１００ａの各部に動作電力を供給する電池である。近距離無線通信部１０５は、送信機１０５ａおよび受信機１０５ｂを含み、携帯電話端末２００との間で近距離無線通信を行う手段である。近距離無線通信としてはＢｌｕｅｔｏｏｔｈ（登録商標）や無線ＬＡＮ等が利用できる。当然ながら、通信を行おうとする二者が所定の距離を超えて離れた場合に、その二者間の通信は不能となる。ＬＥＤ１０６は、上述したＬＥＤ１０６ａ，１０６ｂ，１０６ｃ等の発光素子である。コネクタ１０７は小筐体部１００ａが大筐体部１００ｂと接続されている（結合状態にある）か否かを検出するための手段である。その接続は、電気的、磁気的、光学的等、任意の方式によるスイッチや接続端子を利用することができる。
【００３１】
図７に大筐体部１００ｂのハードウェア構成を表したブロック図を示す。
【００３２】
大筐体部１００ｂは、ＣＰＵ１１０、距離センサ１１１、バッテリ１１２、近距離無線通信部１１３、ＬＣＤ１１４、スピーカ１１５、マイク１１６、コネクタ１１７を備えている。
【００３３】
ＣＰＵ１１０は、大筐体部１００ｂの各部を制御するとともに必要なデータ処理等を行う制御部である。この例ではＣＰＵ１１０内にＲＯＭやＲＡＭを含んだものとする。距離センサ１１１は、大筐体部１００ｂの特定の面に設けられ、その面に対向した対象物（例えばユーザの手）までの距離を検出するセンサである。本実施の形態では音楽再生機能の割り当てられた第１面に距離センサ１１１を設けている。バッテリ１１２は、大筐体部１００ｂの各部に動作電力を供給する電池である。近距離無線通信部１１３は、送信機１１３ａおよび受信機１１３ｂを含み、携帯電話端末２００との間で近距離無線通信を行う通信手段である。ＬＣＤ１１４は、上述したように本実施の形態では大筐体部１００ｂの第１面に配置された表示画面を有する表示デバイスである。この表示画面には、各機能に関する情報が表示される。例えば、メール機能についてはタイトル（またはヘッダ情報）、電話機能については相手の電話番号、簡易データ表示機能についてはニュースや天気予報などの簡易データ、スケジュール機能についてはスケジュールデータ、である。このような情報は、基本的には現在選択されている（当該面が上面を向いている）機能の情報であるが、電話やメールの着信などのように、外部からの要因で発生するイベントに関する情報については、現在の上面の如何に関わらず、表示することが好ましい。スピーカ１１５およびマイク１１６は、大筐体部１００ｂの所定の面に配置され、大筐体部１００ｂで音楽を流したり、電話の会話を行ったりするために利用される。スピーカ１１５およびマイク１１６を配置する面は図２に示した面に限定されるものではない。コネクタ１１７は、大筐体部１００ｂが小筐体部１００ａと接続されている（結合状態にある）か否かを検出するための手段である。
【００３４】
なお、大筐体部１００ｂに小筐体部１００ａが装着されていない状態では、ＬＣＤ１１４の表示やマイク１１６の機能を抑止するようにしてもよい。また、そのような状態であっても音楽再生機能については抑止しないようにしてもよい。
【００３５】
図８に携帯電話端末２００のハードウェア構成を表したブロック図を示す。
【００３６】
携帯電話端末２００は、バス２１６で相互に接続された、制御部２０１、通信部２０３、表示部２０４、操作部２０５、記憶部２０６、音声処理部２１０、近距離無線通信部２１３、音楽再生部２１４、およびカレンダ・時計部２１５を備えている。
【００３７】
制御部２０１は、ＣＰＵ等を含み、携帯電話端末２００の各部を制御する。通信部２０３は、ＲＦ部、変調回路等を含み、アンテナ２０２を介して基地局との間で、通話およびメールやＷＥＢデータ等のための無線通信を行う。
【００３８】
表示部２０４は、表示画面上に情報を表示するＬＣＤ、有機ＥＬ等の表示デバイスおよびそのドライバを含む。
【００３９】
操作部２０５は、制御キー、テンキー等の各種のキーを有し、ユーザによる指示やデータの入力を受け付ける。
【００４０】
記憶部２０６は、ＲＯＭ，ＲＡＭ等を含み、ＣＰＵが実行するＯＳや各種アプリケーション等のプログラムやデータを記憶する。ＲＯＭには、フラッシュメモリのような再書き込み可能な不揮発性メモリを含みうる。
【００４１】
音声処理部２１０は、この音声処理部２１０に接続されたスピーカ２１１、マイク２１２、さらに、音声のエンコーダ、デコーダ、ＤＡ変換器、ＡＤ変換器等を含み、スピーカ２１１に対する音声出力およびマイク２１２からの音声入力を行う。
【００４２】
近距離無線通信部２１３は、上述した小筐体部１００ａおよび大筐体部１００ｂのそれぞれの近距離無線通信部との間で近距離無線通信を行う手段である。
【００４３】
音楽再生部２１４は、所定のフォーマットの音楽データを再生する手段である。音楽データは記憶部２０６に蓄積することができるが、音楽データを蓄積する専用の着脱可能な外部メモリ（図示せず）を設けてもよい。
【００４４】
カレンダ・時計部２１５は、ＲＴＣ（リアルタイムクロック）に基づいて現在の日時情報やカレンダの機能を提示する。
【００４５】
その他、図示しないが、携帯電話端末２００は、電源部、発光部、バイブレータ、等、通常の携帯電話端末が備えている機能部を備えている。カメラ部、非接触ＩＣカード機能部をさらに備えてもよい。
【００４６】
図９は、アクセサリ１００による携帯電話端末２００の操作のための両者間の信号の授受およびそのためのそれぞれの概略内部処理を示したフローチャートである。このフローチャートでは、小筐体部１００ａと大筐体部１００ｂが結合しているか否か、および各ステップがいずれの筐体部で実行されるものかについては区別していない。両者の区別が必要な箇所ではその都度、説明する。
【００４７】
筐体上面の変更があったとき（Ｓ１１）、この変化は小筐体部１００ａの加速度センサ１０３により検出される（Ｓ１２）。このセンサ出力は小筐体部１００ａのＣＰＵ１０１により処理される（Ｓ１３）。これにより、筐体上面が特定され、現在の上面が何かが分かる。これによりユーザが使用しようとする機能が定まる。筐体上面が特定の１面であることは、ある面が上面として所定の時間継続したことにより検出することができる。現在の上面が特定の１面でない場合、すなわち、筐体が斜めになっていたり、継続的に変化している場合には筐体上面は確定しないものとして扱われる。また、加速度センサ１０３の出力に基づいて筐体の振動を検出し、追加的な操作情報として利用することもできる。
【００４８】
センサ出力の処理の結果、携帯電話端末２００に対する操作情報が生成される。この操作情報は、近距離無線通信部１０５の送信機により携帯電話端末２００へ送信される（Ｓ１４）。
【００４９】
携帯電話端末２００は、その近距離無線通信部２１３の受信機により操作情報を受信する（Ｓ２１）。さらに、携帯電話端末２００の制御部２０１が受信信号を処理し（Ｓ２２）、携帯電話端末自身を操作する操作信号を生成する（Ｓ２３）。さらに、この操作信号により携帯電話端末を制御する（Ｓ２４）。これにより、携帯電話端末がアクセサリ１００からの操作情報に応じて遠隔的に操作される。
【００５０】
この操作結果が例えば音楽再生機能の起動であれば、音楽再生部２１４が制御され、音楽の再生が行われる。音楽再生機能の起動により直ちに音楽データ（例えば全体または特定のプレイリストの最初の音楽データや前回再生した音楽データ等）の再生を開始するか、次の操作を待って再生を開始するかは特に問わない。音楽データの再生が開始されたら、その再生信号が近距離無線通信部２１３に入力され（Ｓ２５）、そこからアクセサリ１００の大筐体部１００ｂの近距離無線通信部１１３に対して送信される（Ｓ２６）。さらにこの近距離無線通信部１１３はこの信号を受信する（Ｓ１５）。この受信信号は音声信号としてスピーカ１１５へ出力される（Ｓ１６）。受信機１１３ｂ、ＣＰＵ１１０およびスピーカ１１５は携帯電話端末から音声信号を受信し、再生する音声信号受信再生手段に相当する。このとき、携帯電話端末側のスピーカ２１１から同じ音声を出力するか否かは、予め設定しておくことができる。
【００５１】
携帯電話端末側のスピーカ２１１から音声を出力する設定である場合、端末をカバン内に入れたままイヤホン（ヘッドホンを含む）を介して再生音を聴取することができる。持ち運びモードにおいて携帯電話端末にイヤホンがセットされていない場合に音声出力を抑止するようにしてもよい。これにより、例えば電車内でカバン内の携帯電話端末からいきなり音楽が出力されるというような不都合を回避することができる。
【００５２】
図１０は、アクセサリ１００における追加的な処理を示したフローチャートである。
【００５３】
この処理は、小筐体部１００ａ内のＣＰＵ１０１が実行する処理である。小筐体部１００ａのＣＰＵ１０１はコネクタ１０７の接続状態の変化を検出することにより、小筐体部１００ａが大筐体部１００ｂから取り外されたことを認識することができる（Ｓ３１ｂ）。これにより、小筐体部１００ａは持ち運びモードに移行する（Ｓ３２）。持ち運びモードとは、小筐体部１００ａが持ち運ばれている状態であって、その際の上面の探知、ひいてはその上面に基づく携帯電話端末の操作出力を抑止するモードである。一旦、持ち運びモードに移行した後、ユーザが小筐体部１００ａによる操作を行おうとする場合、上述した２カ所のタッチセンサ１３にタッチがなされたことを検出したとき（Ｓ３３）、持ち運びモードを解除する（Ｓ３４）。持ち運びモードが解除された後は、ユーザは小筐体部１００ａにより携帯電話端末の操作を行うことができる。このような操作を行う際にユーザは必然的に小筐体部１００ａを指で保持するので、持ち運びモードの解除は特に煩雑な操作とはならない。
【００５４】
このように小筐体部１００ａを非持ち運びモードに移行して操作を行った後、再度、カバンにぶら下げるなどした場合には持ち運びモードに戻すべきである。ここでは、加速度センサ１０３の出力に基づいて、小筐体部１００ａが斜めの状態（いずれかの面が上面を向いていない状態）にあることが所定時間（例えば数秒間）継続して検出されたとき（Ｓ３１ａ）、持ち運びモードに移行する。この持ち運びモードでは前記複数の面に割り当てられたいずれの機能による操作出力も抑止する。但し、このような操作出力の抑止中も端末の電話またはメールの着信情報を受信したとき、その着信情報をＬＥＤ発光により出力する。
【００５５】
なお、大筐体部１００ｂは小筐体部１００ａが取り外された場合に、その姿勢の検出はできないので、大筐体部１００ｂによる携帯電話端末に対する操作を行わない。それだけでなく、携帯電話端末から受信した信号に対する処理も全く行わないように、大筐体部１００ｂの機能を抑止するようにしてもよい。あるいはそのような場合にも携帯電話端末から着信信号の通知などは受け付けるようにしてもよい。
【００５６】
図１１は、図９の処理に対して一部の処理（Ｓ１７，Ｓ１８）を追加したものである。このフローチャートにおいて、図９に示したと同様の処理ステップには同じ参照番号を付して、重複した説明は省略する。
【００５７】
図７の大筐体部１００ｂに示したように、大筐体部１００ｂにはその上面に距離センサ１１１が設けられている。この距離センサ１１１は、ユーザが大筐体部１００ｂの上方に手のひらをかざしたような場合、筐体上面から手までの距離を検出することができる。そこで、このような距離の変化があったとき（Ｓ１７）、その距離を距離センサ１１１の出力に基づいて検出する（Ｓ１８）。この検出された距離はＣＰＵにより処理されて、携帯電話端末の所定の操作に利用される。例えば、音楽再生時の音量の調節に利用することができる。
【００５８】
図１２により、アクセサリ１００から携帯電話端末２００への操作指示の伝達の形態および操作信号の生成の形態について説明する。
【００５９】
図１２（ａ）は、アクセサリ１００の現在の上面がどの面かを表す情報のみを携帯電話端末へ知らせれば足りる場合に適した信号形態を示している。アクセサリ１００は、非持ち運びモードにおいてその上面の変更を検出したとき（Ｓ４１）、現在の上面が何かを示すデータである上面識別コードを近距離無線通信により携帯電話端末へ送信する（Ｓ４２）。携帯電話端末はこれを受信したそのコードを解釈し（Ｓ５１）、そのコードに予め対応付けられた操作を実行する。
【００６０】
図１２（ｂ）は、アクセサリ１００の現在の上面がどの面かを表す情報だけでなく、それに付随した情報をも送信する場合に適した信号形態を示している。アクセサリ１００は、ユーザによりアクセサリ１００に対して行われた各種の操作を検出する（Ｓ４３）。この各種の操作には、アクセサリの上面の変更による操作対象の機能の指定のみならず、その機能に関する具体的な操作をも含む。その機能に関する具体的な操作とは、音楽再生機能における音量の調整や次の曲への移動、などである。これらの各種操作には、それぞれ対応するコードが予め割り当てられており、アクセサリ１００は近距離無線通信によりそのコードを携帯電話端末に送信する（Ｓ４４）。携帯電話端末はこれを受信したそのコードを解釈し（Ｓ５２）、そのコードに予め対応付けられた操作を実行する。
【００６１】
図１２（ｃ）は、図１２（ｂ）の場合と同様、アクセサリ１００の現在の上面がどの面かを表す情報だけでなく、それに付随した情報をも送信する場合に適した信号形態を示している。ただし、各種操作に対応したコードを予め用意するのではなく、その操作を携帯電話端末の対応するキーコード列に変換するものである。アクセサリ１００は、ユーザによりアクセサリ１００に対して行われた各種の操作を検出したとき（Ｓ４５）、その操作を一旦その操作に対応する携帯電話端末のキーコード列に変換する（Ｓ４６）。このキーコード列を近距離無線通信により携帯電話端末に送信する（Ｓ４７）。携帯電話端末はこれを受信したそのキーコード列を、入力キーコード列として利用する（Ｓ５３）。これにより、その入力キーコード列に対応付した操作が実行される。
【００６２】
図１３は、アクセサリ１００の上面を表すデータの具体例を示している。図の「上面」は図３における小筐体部１００ａの各面に対応している。Ｘ，Ｙ，Ｚは、３次元加速度センサの各軸の出力コードを示している。各軸において出力コード”１０”と”０１”がその軸が鉛直方向に向いている状態を示している。この例では”１０”と”０１”両出力コードはＸ軸に直交する面が上面の場合と下面の場合とを示している。出力コード”００”はその軸に直交する面が鉛直方向と直交する方向に向いていることを示している。したがって、図１３では、いずれかの面が上面を向いている場合についてのみ出力コードを示している。どの面も上面を向いていない「斜め」の状態では、図示した以外のコード値の組み合わせ（コード列）となる。「送信コード」は、図１３に示した６つのＸＹＺの出力コードの組み合わせに対応する上面識別コードに変換したデータである。この例では、ＸＹＺのコード列には単一個の”１”が出現するので、受信側の処理の都合上、その”１”より上位のビットをすべて”１”とし、より下位のビットをすべて”０”としたものである。
【００６３】
なお、この送信コードは上述した図１２（ａ）の信号形態に対応するものであり、他の信号形態を採用する場合には図１３のような送信コードである必要はない。例えば、ＸＹＺのコード列をそのまま送信コードとしてもよい。
【００６４】
図１４は、図１３に示した送信コードの送信信号波形と、その受信信号波形の例を示している。送信信号の先頭にはヘッダとして”１”を１クロック分送信し、その後に１クロック毎に送信コードのデータビットを送信している。
【００６５】
図１５は、図１４に示した受信信号を受信した携帯電話端末がその受信信号を解読する処理例を示している。
【００６６】
まず、送信コードを示す変数Ｄｏｕｔと繰り返し変数ｎを初期化する（Ｓ７１）。ここではＤｏｕｔを”０”とし、ｎを”１”とした。
【００６７】
送信信号の立ち上がりエッジが検出されたとき（Ｓ７２）、ヘッダの１クロック分および０．５クロック分待機する（Ｓ７３）。０．５クロック待機するのは１ビットの波形のほぼ中央のレベルを検出して、データ検出を確実にするためである。そこで、ｎ＝７となるまで、Ｓ７４〜Ｓ７８の繰り返し処理を実行する。繰り返し処理では、まず、入力が”１”であるかどうかをチェックする（Ｓ７５）。”１”でなければ、ステップＳ７７へ移行し、”１”であればＤｏｕｔをインクリメントする（Ｓ７６）。その後、１クロック待機し（Ｓ７７）、ｎをインクリメントして（Ｓ７８）、ステップＳ７４に戻る。ステップＳ７４でｎ＝７に達していなければ、再度ステップＳ７５以降の処理を実行する。ｎ＝７に達したら、Ｄｏｕｔを出力して（Ｓ７９）、この処理を終了する。この処理により、図１３に示した６通りの６ビットの送信コードがそれぞれ値”１”から”６”として得られる。
【００６８】
図１６は、図１２（ｂ）（ｃ）に対応した、アクセサリから携帯電話端末への送信信号のより汎用的な信号形態を示している。この送信信号は図１４に示したような１つのデータの送信波形に立ち下がりエッジが１回だけ出現するような信号形態ではなく、任意のビットで”１”が発生しうる形態である。図１４の例では１つのデータを６ビットとしたが、図１６の例では７ビット（または８ビット）とする。
【００６９】
図１７は、図１６に示した受信信号を受信した携帯電話端末がその受信信号を解読する処理例を示している。
【００７０】
まず、送信コードを示す変数Ｄｏｕｔと繰り返し変数ｎを初期化する（Ｓ８１）。ここではＤｏｕｔを””（ＮＵＬＬ）とし、ｎを”１”とした。この例でのＤｏｕｔは７ビットの２進数を想定している。
【００７１】
送信信号の立ち上がりエッジが検出されたとき（Ｓ８２）、上記と同様、ヘッダの１クロック分および０．５クロック分待機する（Ｓ８３）。そこで、ｎ＝８となるまで、Ｓ８４〜Ｓ８９の繰り返し処理を実行する。繰り返し処理では、まず、入力が”１”であるかどうかをチェックする（Ｓ８５）。”１”であればＤｏｕｔのＬＳＢに値”１”のビットを付加する（Ｓ８６）。”１”でなければ、ＤｏｕｔのＬＳＢに値”０”のビットを付加する（Ｓ８７）。その後、１クロック待機し（Ｓ８８）、ｎをインクリメントして（Ｓ８９）、ステップＳ８４に戻る。ステップＳ８４でｎ＝８に達していなければ、再度ステップＳ８５以降の処理を実行する。ｎ＝８に達したら、Ｄｏｕｔを出力して（Ｓ９０）、この処理を終了する。この処理により、７ビットの送信コードが得られる。１データが８ビットの場合には、Ｓ７４でｎ＝８をｎ＝９に変更すれば足りる。
【００７２】
以上の説明は、小筐体部１００ａと大筐体部１００ｂのそれぞれの６面に同じ機能が割り当てられている場合について説明した。その場合、上述のように小筐体部１００ａの特定の面については小筐体部単独では機能しないものがあり得た。例えば図３（ｂ）に示した面１０ｆはスケジュール機能に割り当てたが、小筐体部単独では図１８（ｂ）に示すように、マナーモードへの移行に割り当てられた例を示している。マナーモードとは、携帯電話端末において少なくとも電話やメールの着信音の出力の抑止を行う動作モードである。この面１０ｆは大筐体部１００ｂに装着した状態では大筐体部１００ｂの凹部に隠れてしまうので、ユーザの混乱は生じにくいと考えられる。また、大筐体部１００ｂに装着した状態はユーザが自宅内などに居る場合であり、マナーモード設定の必要性は低いと考えられる。マナーモード設定の解除はアクセサリ１００の特定の操作により行う構成とすることも可能であるが、アクセサリ１００にはそのための操作を想定せずに携帯電話端末側で行うようにしてもよい。
【００７３】
図１９に本発明の他の実施の形態における遠隔操作用アクセサリの他の外観例を示す。このアクセサリは、球形の形状であるが、上面を認識できれば、このような形状であってもよい。机やテーブル等の上に載置する場合には安定性を確保するために、上面に湾曲した凹部を有する台座を用いてもよい。
【００７４】
以上より、従来問題であった操作対象の機能の少なさは、より多くの面の多面体の利用や距離センサによる距離の検出および加速度センサによる「振る」などの動作の検出を取り入れることで多機能化が可能である。また、ボタン操作ではなく視覚的な操作が可能なため、取り扱いも容易である。さらに、屋内に複数個設置しておけば、室内でアクセサリを携帯しておく必要もなく、気軽に情報端末を操作することができる。
【００７５】
以上、本発明の好適な実施の形態について説明したが、上記で言及した以外にも種々の変形、変更を行うことが可能である。例えば、情報端末として携帯電話端末を例に挙げて説明したが、携帯電話端末に限るものではない。ＬＣＤは大筐体部側にのみ設けたが、小筐体部側にも設けてもよい。小筐体部１００ａと大筐体部１００ｂとを一体化した形態であってもよい。
【符号の説明】
【００７６】
１２…ストラップ、１３…タッチセンサ、１００…遠隔操作用アクセサリ、１００ａ…小筐体部、１００ｂ…大筐体部、１０２…タッチセンサ、１０３…加速度センサ、１０４…バッテリ、１０５…近距離無線通信部、１０５ａ…送信機、１０５ｂ…受信機、１０７…コネクタ、１１１…距離センサ、１１２…バッテリ、１１３…近距離無線通信部、１１３ａ…送信機、１１３ｂ…受信機、１１５…スピーカ、１１６…マイク、１１７…コネクタ、２００…携帯電話端末、２０１…制御部、２０２…アンテナ、２０３…通信部、２０４…表示部、２０５…操作部、２０６…記憶部、２１０…音声処理部、２１１…スピーカ、２１２…マイク、２１３…近距離無線通信部、２１４…音楽再生部、２１５…カレンダ・時計部、２１６…バス
【図１】
2010193144.tif 000003
【図５】
2010193144.tif 000004
【図６】
2010193144.tif 000005
【図７】
2010193144.tif 000006
【図８】
2010193144.tif 000007
【図９】
2010193144.tif 000008
【図１０】
2010193144.tif 000009
【図１１】
2010193144.tif 000010
【図１２】
2010193144.tif 000011
【図１３】
2010193144.tif 000012
【図１４】
2010193144.tif 000013
【図１５】
2010193144.tif 000014
【図１６】
2010193144.tif 000015
【図１７】
2010193144.tif 000016
【図１９】
2010193144.tif 000017
【図２】
2010193144.tif 000018
【図３】
2010193144.tif 000019
【図４】
2010193144.tif 000020
【図１８】
2010193144.tif 000021